(57)【要約】【課題】配送物の抜き取り、盗難の防止ができると共に、認証されない配達人によるビラなどの投函を防ぐこともできる安全性の高い、取扱いの簡易な配送物保管ボックス装置を得る。【解決手段】配送物を保管する収納空間をその外部と施錠開錠可能な扉２１ｂ，２１ｄ，２２ｂ，２２ｄで遮断されたボックス部２１，２２と、ＩＤカードからＩＤ信号を読み取るＩＤ信号リーダ２４と前記ＩＤ信号が予め登録されているＩＤ信号であることを認証する認証手段と、認証手段の認証信号に基づいてのみ扉の施錠開錠を可能とする施錠開錠手段と、を備える。【選択図】図１
2008037644.tif 000002
【特許請求の範囲】
【請求項１】
配送物を保管する収納空間をその外部と施錠開錠可能な扉で遮断されたボックス部と、ＩＤカードからＩＤ信号を読み取るＩＤ信号リーダと、前記ＩＤ信号が予め登録されているＩＤ信号であることを認証する認証手段と、該認証手段の認証信号に基づいてのみ前記扉の施錠開錠を可能とする施錠開錠手段と、を備えることを特徴とする配送物保管ボックス装置。
【請求項２】
前記ボックス部が、配送書類用のボックス部と配送品用のボックス部とに分離設置されていることを特徴とする請求項１記載の配送物保管ボックス装置。
【請求項３】
前記配送書類用のボックス部が上側に、前記配送品用のボックス部が下側に、前記両者の中間に、前記ＩＤ信号リーダを含む操作パネルが配設されていることを特徴とする請求項２記載の配送物保管ボックス装置。
【請求項４】
前記ＩＤ信号リーダが共通で、前記配送書類用のボックス部と前記配送品用のボックス部とにそれぞれ施錠ボタンと開錠ボタンが、対応して設けられていることを特徴とする請求項２又は３記載の配送物保管ボックス装置。
【請求項５】
前記それぞれ施錠ボタンと開錠ボタンが、施錠・開錠ボタンとされた１つボタンの繰返し切替ボタンであることを特徴とする請求項４記載の配送物保管ボックス装置。
【請求項６】
前記ボックス部の外側と裏側との少なくとも、外側に前記扉を、裏側には認証手段の認証信号なしに開閉可能な扉を設けることを特徴とする請求項１乃至５のいずれか１項に記載の配送物保管ボックス装置。
【請求項７】
前記ボックス部の外側と裏側との両面に前記扉を設けることを特徴とする請求項１乃至５のいずれか１項に記載の配送物保管ボックス装置。
【請求項８】
前記ボックス部は、前記扉の開閉センサを備え、カメラに連動指令信号を送信可能につながれていることを特徴とする請求項１乃至７のいずれか１項に記載の配送物保管ボックス装置。
【請求項９】
前記認証手段からの認証確認信号が、カメラに対する連動指令信号を与えることを特徴とする請求項１乃至７のいずれか１項に記載の配送物保管ボックス装置。
【請求項１０】
前記ボックス部は、ボックス内センサを備え、該センサは投函された配送物の存在を感知し、管理サーバに登録されたメールアドレスへメール送信するための信号を送信可能につながれていることを特徴とする請求項１乃至８のいずれか１項に記載の配送物保管ボックス装置。
【発明の詳細な説明】
【技術分野】
【０００１】
この発明は、郵便書類、宅配品、社内配送書類等の配送物を保管する配送物保管ボックス装置に関する。特に、配送物の盗難を防止できる配送物保管ボックス装置に関する。
【背景技術】
【０００２】
従来から、マンション等の郵便受けにカギをかけていても、郵便物を盗まれることが、しばしば起こっている。人目のない時に郵便受けに近づくことができたり、その場所が死角にあったりすると、多少時間がかかっても粘着性のあるテープ等を使って、カギのかかった郵便受けから郵便物を取り出される被害が頻繁に発生する。また、集合住宅の宅配荷物を受け取るためのボックスなどでも鍵の取り付けがされていない場合は勿論、簡単な鍵の場合には盗難に遭うことがしばしばである。さらに、オフィス内また工場内等の施設内においても、特に重要書類を渡す場合、直接本人に渡せない時には、机上であっても紛失の危険を避けるため、何度も足を運ぶことになる。
【０００３】
このような盗難の危険また紛失の防止のため、例えば、次のような宅配サービスシステムが工夫されてきた。貨物保管ボックスのドアに設けられたロック装置の開閉制御が可能であり、そのキー入力装置から入力される入力番号を外部へ伝送可能なメールボックスを備える。ホームゲートウェイは暗証番号が登録されるウェブサービス提供部と、暗証番号を格納する格納部及びメールボックスとの通信を行ない、メールボックスから伝送される入力番号と格納部に格納された暗証番号とが一致する場合、メールボックスにロック装置のオープン信号を伝送するデータ処理及び認証部を備えるものである（特許文献１参照）。また、次のような宅配便集配システムも開示されている。業者端末では、メモリカードを発行し、メモリカードを用いて集配業者は荷主の宅配ボックスを開いて荷物を集荷する。一方、集配業者は荷受人の宅配ボックスまで荷物を輸送し、メモリカードを用いて荷受人の宅配ボックスを開いて荷物を収納する（特許文献２参照）。
【特許文献１】特開２００４−２５６３０２号公報（要約、段落００１７、図１）
【特許文献２】特開２００４−０１０３４８号公報（要約、図１）
【発明の開示】
【発明が解決しようとする課題】
【０００４】
しかしながら、従来の特許文献１開示の発明では、キー入力装置から入力される入力番号を暗証番号として扱うもので、認証の安全性に問題が残る。特許文献２開示の発明では、業者側で、その都度メモリカードを発行し、そのメモリカードによって、集配が行われるため、業者、荷主及び荷受人との間の通信がその都度必要となり煩雑であるという問題があった。そこで、本発明が、解決しようとする課題は、より安全性の高い、取扱いの簡易な配送物保管ボックス装置を提供することにある。
【課題を解決するための手段】
【０００５】
上記課題を解決するため、本発明は、配送物を保管する収納空間をその外部と施錠開錠可能な扉で遮断されたボックス部と、ＩＤカードからＩＤ信号を読み取るＩＤ信号リーダと、前記ＩＤ信号が予め登録されているＩＤ信号であることを認証する認証手段と、該認証手段の認証信号に基づいてのみ前記扉の施錠開錠を可能とする施錠開錠手段と、を備える配送物保管ボックス装置とする。これによって、配送物を保管する収納空間をその外部と施錠開錠可能な扉で遮断し、予め登録された、配送者及び受取者の所持ＩＤカードのみによって扉の施錠開錠を可能としたため、より安全性の高い、取扱いの簡易な配送物保管ボックス装置とできる。ボックス部からの郵便物等の配送物の抜き取り、盗難の防止ができると共に、認証されない配達人によるビラなどの投函を防ぐこともできる。
【０００６】
また、前記ボックス部が、配送書類用のボックス部と配送品用のボックス部とに分離設置されている配送物保管ボックス装置とすれば、配送物によって、収納ボックス部を分けて、取り扱いやすいボックスとできる。それぞれのボックス部の扉を別々に分離して開閉することも可能とできる。
【０００７】
また、前記配送書類用のボックス部が上側に、前記配送品用のボックス部が下側に、前記両者の中間に、前記ＩＤ信号リーダを含む操作パネルが配設されている配送物保管ボックス装置とすれば、軽量な書類等用のボックス部が上に、中間に操作パネル、下に大きな重量のあるものを収納するボックス部との配置により、使い勝手のよいものとできる。
【０００８】
また、前記ＩＤ信号リーダが共通で、前記配送書類用のボックス部と前記配送品用のボックス部とにそれぞれ施錠ボタンと開錠ボタンが、対応して設けられている配送物保管ボックス装置とすれば、ＩＤ信号リーダは共通のままで、それぞれのボックス部の扉を別々に分離して開閉、また施錠と開錠することができ、極めて使い勝手がよい。
【０００９】
また、前記それぞれ施錠ボタンと開錠ボタンが、施錠・開錠ボタンとされた１つボタンの繰返し切替ボタンである配送物保管ボックス装置とすれば、リーダ共通の上で、施錠・開錠ボタンの省スペース化を図ることができ、小面積に操作部材を配置できる。
【００１０】
また、前記ボックス部の外側と裏側との少なくとも、外側に前記扉を、裏側には認証手段の認証信号なしに開閉可能な扉を設ける配送物保管ボックス装置とすれば、室内部側などの安全側には、認証なしに自由に開閉可能な扉を設けて使いやすいものとできる。
【００１１】
また、前記ボックス部の外側と裏側との両面に前記扉を設ける配送物保管ボックス装置とすれば、両面を認証手段の認証信号に基づいてのみ動作可能な扉として、安全性を高めることができる。
【００１２】
また、前記ボックス部は、前記扉の開閉センサを備え、カメラに連動指令信号を送信可能につながれた配送物保管ボックス装置とすれば、カメラにより投函者又は受取者の行動の記録を可能と出き、さらに安全性を高めることができる。
【００１３】
また、前記認証手段からの認証確認信号が、カメラに対する連動指令信号を与える配送物保管ボックス装置とすれば、カメラにより投函者又は受取者の行動の記録を可能と出き、さらに安全性を高めることができる。
【００１４】
また、前記ボックス部は、ボックス内センサを備え、該センサは投函された配送物の存在を感知し、管理サーバに登録されたメールアドレスへメール送信するための信号を送信可能につながれている配送物保管ボックス装置とすれば、ボックス部内の確認を容易に行うことができ、配送物の存在を遠隔からも確認できる。
【発明の効果】
【００１５】
本発明によれば、配送物を保管する収納空間をその外部と施錠開錠可能な扉で遮断し、予め登録された、配送者及び受取者の所持ＩＤカードのみによって扉の施錠開錠を可能としたため、より安全性の高い、取扱いの簡単な配送物保管ボックス装置とできる。ボックス部からの郵便物等の配送物の抜き取り、盗難の防止ができると共に、配達人が認証されないビラなどの投函を防ぐこともできる。
【発明を実施するための最良の形態】
【００１６】
以下本発明の実施の形態を図を参照しつつ説明する。
【００１７】
図１は、一実施の形態としての配送物保管ボックス装置の正面図であり、壁面に取り付けられた状態を示している。図２は、図１の配送物保管ボックス装置の側面図である。図１と図２では、配送物保管ボックス装置１は、例えばマンション等の壁６０の面に配設されており、図１の面側、図２の左側が、外側（表面側）、図２の右側が裏面側（内側）である。
【００１８】
配送物保管ボックス装置１は、セキュリティ・ボックス２内にその構成部品が収容されている。セキュリティ・ボックス２内には、ここでは、上側に書類収納用の空間を構成する配送書類ボックス部２１、その下（中央部）に操作パネル２５とセキュリティ・ボックス回路部２３、その下側に配送品収容用の空間を構成する配送品ボックス部２２を含んで、構成される。さらに、この例では、表示部２５ｅが、配送書類ボックス部２１の下、操作パネル２５の上に設けられている。
【００１９】
書類を主に収納するための配送書類ボックス部２１は、その他の配送品を収納するための配送品ボックス部２２に比べ小スペースとされている。それぞれ、ここでは、外側（表面側）（図１）と裏面側（図２右側）に、開閉可能な扉２１ｂ，２１ｄ，２２ｂ，２２ｄを有する。それぞれの扉は、開閉用のつまみ２１ａ，２１ｃ，２２ａ，２２ｃを備える。
【００２０】
操作パネル２５には、中央にＩＤ信号リーダ２４、ここでは、非接触タイプのＩＣカードリーダを用いている、その上側に、配送書類ボックス部２１の扉２１ｂの施錠ボタン２５ａ、開錠ボタン２５ｃを配置、下側に、配送品ボックス部２２の扉２２ｂの施錠ボタン２５ｂ、開錠ボタン２５ｄを配置して、ボタンとボックス部の対応関係が付きやすくしている。この例では、裏面側の対応位置にも、操作パネル２５と同タイプの操作パネル、また、表示部２５ｅと同タイプの表示部が設置されている。外側の操作パネル２５の構成部材に対応する裏面側の構成部材は［ｂ］を末尾に付けた符号を付して示す。
【００２１】
図２において、壁６０の両面にはビデオカメラなどのカメラ３，３ｂを設置して、人の気配を感じる人感センサ４，４ｂにより、或はＩＣの認証に基づき、又は扉の開閉に基づき、作動停止を制御される。
【００２２】
図３は、図１の配送物保管ボックス装置及び関連装置の回路構成図である。
【００２３】
図３において、配送物保管ボックス装置１は、セキュリティ・ボックス２内に、表示部２５ｅのための表示用手段２５ｅｃ、セキュリティ・ボックス回路部２３を有する。セキュリティ・ボックス回路部２３内には、ボックスの制御手段２９によって制御される、投入口施錠・開錠手段２５ｆ、取出し口施錠・開錠手段２５ｇ、開閉センサ２５ｉとボックス内センサ２５ｈを含むボックス情報収集手段２８、通信手段２７、ＩＤ信号リーダ２４、認証確認手段２６を有する。認証確認手段２６は、認証手段の一部であり、認証手段の他の一部は、認証回路手段５２、データベース５４、記憶手段５３を含み、ここでは管理サーバ５内に配置されている。すなわち、認証手段は、認証確認手段２６、認証回路手段５２、データベース５４、記憶手段５３を含んで構成される。
【００２４】
投入口施錠・開錠手段２５ｆは、郵便局員、配達業者のＩＤ認証後、投入口の施錠を解除し、郵便物や宅配物を収納空間に投函可能とし、投函が終わると再び施錠を行う。取出し口施錠・開錠手段２５ｇは、住民のＩＤ認証後、取出し口の施錠を解除し、郵便物や宅配物などの配送物を取出しできるようにし、取出しが終わると再び施錠を行う。ボックス情報収集手段２８は、各ボックス部に設けられた開閉センサ２５ｉとボックス内センサ２５ｈ等からボックス情報を得て、どのボックス部２１，２２に郵便物・宅配物等が投函されたか、どのボックス部２１，２２から配送物が取出されたのかの情報を収集する。認証確認手段２６は、ＩＤ信号リーダ２４からのＩＤ信号を通信手段２７により、管理サーバ５に送り、管理サーバからの認証情報により認証確認を行う。通信手段２７は、上記認証情報のやり取り、ボックス情報収集手段２８によったボックス情報のやり取りを行う。
【００２５】
図３において、監視カメラ３は、ここでは、人感センサ４の信号に基づき撮影の制御が行われる。すなわち、人感センサ４は、カメラの制御手段３４に接続され、撮影開始手段３１と撮影終了手段３２も制御手段３４に接続されている。人感センサ４からの信号に反応して撮影開始手段３１はカメラの駆動を開始し、人感センサ４から信号がなくなると撮影終了手段３２により撮影は終了する。この間に撮影された映像は、制御手段３４に接続された撮像データ記録手段に記憶され、制御手段３４に接続された通信手段３５が、この映像データを、管理サーバ５へ送信する。
【００２６】
管理サーバ５は、この実施の形態では上述の認証手段の一部を備えており、図３では、管理サーバ５内の上述の認証手段の一部を中心に示している。管理サーバ５は、データベース５４を有し、これは、部屋番号と住民の氏名等のデータを記録した住民情報テーブル５４ａ、部屋番号と連絡先等のデータを記録した連絡先情報テーブル５４ｂ、セキュリティ・ボックス或いはボックス部と部屋番号のデータを記録したセキュリティ・ボックス情報テーブル５４ｃ、郵便局員や宅配業者のＩＤ番号等の登録データを記録した認証情報テーブル５４ｄを備えている。管理サーバ５の通信手段５１は、監視カメラ３の撮像データ、ボックス情報収集手段２８からのボックス情報、ＩＤ信号リーダ２４からのＩＤ信号を受けて記憶手段５３に記憶し、この記憶とデータベース５４内のデータとを認証手段５２で比較し、認証判断を行う。この判断情報は、認証確認手段２６に送られ、この信号に基づき認証確認され、投入口又は取出し口（ＩＤ信号を読み込んだＩＤ信号リーダ２４側の口）を開錠可能とする。開錠はここでは、開錠ボタン２５ｃ，２５ｄで行うが、認証されたことが確認された場合、自動的に開錠が行われてもよい。施錠は、ここでは施錠ボタン２５ａ，２５ｂ，２５ａｂ，２５ｂｂを押すことによって行われるが、忘れた場合、短時間後に自動的に施錠が行われるようにしてもよい。
【００２７】
管理サーバ５の通信手段５１は、ボックス情報を基に、連絡先情報テーブル５４ｂを参照して連絡先の登録されたメールアドレスを割り出し、そのメールアドレスへ配送物の存在につきインターネット網６を介してメール送信する。この状況を図３に携帯電話７、ＰＣ８とともに模式的に示す。
【００２８】
次に、上記実施の形態における、使用状況を説明する。
【００２９】
郵便局員・宅配業者等の特定配達者にＩＤ例えば、非接触ＩＤ信号カード、を予め貸与する。配達者は、ＩＤ信号カードをＩＤ信号リーダ２４に近づけ、ＩＤ信号は管理サーバ５に送られる。管理サーバ５は、データベース５４内の記録された各テーブル内容と、管理サーバ５が受けた内容とを比較し、認証回路手段５２により、認証を行い、この認証信号をセキュリティ・ボックス２の認証確認手段２６に戻し、投入口施錠・開錠手段２５ｆの施錠を解除し開閉可能な扉２１ｂ，２２ｂを開き、ボックス部２１，２２の収納空間に配送物を入れる。最終的な扉の開き動作は、自動的であってもよいし、この例のように、開錠ボタン２５ｃ，２５ｄによるものであることもできる。このとき、扉２１ｂ，２２ｂの開きを開閉センサ２５ｉが、感知、また、ボックス部２１，２２内の配送物の存在をボックス内センサ２５ｈが感知する。それらの信号が、どのボックス部からのものかは、どのセンサからのものであるかによって判別可能で、これらの信号は、ボックス情報収集手段２８によって、収集され、ボックス情報として、ここでは、通信手段２７，５１を介して管理サーバ５に送られ、記憶手段５３に記憶され、その時点での各ボックス部の状態が記録される。この記録は、セキュリティ・ボックス２へのアクセスがあるたびに追加されて行く。
【００３０】
投入口施錠・開錠手段２５ｆが、再び施錠されると、この状態は、開閉センサ２５ｉが、感知、また、配送物の存在をボックス内センサ２５ｈが感知し、ボックス情報収集手段２８によって、収集され、ボックス情報として、通信手段２７，５１を介して管理サーバ５に送られ、記憶手段５３に記憶される。これとともに、通信手段５１を介して先の認証時に連絡先情報テーブル５４ｂから参照されている連絡先（受取人に当たる。）のメールアドレスへ配送物の存在につきインターネット網６を介してメール送信する。
【００３１】
一方で、監視カメラ３ｂは、人感センサ４の信号に基づいて制御され、撮像した撮像データを撮像データ記録手段３３に一旦記憶後、通信手段３５，５１を介して管理サーバ５の記憶手段に記録する。なお、通信手段２７，通信手段５１，通信手段３５間は、監視制御通信網でここでは接続されている。
【００３２】
取出し口施錠・開錠手段２５ｇも、裏面側のＩＤ信号リーダ２４ｂに受取人がＩＤ信号カードでアクセスすることにより、表面側の場合と同様に開錠され、配送物が取出される。ボックス情報の変化は、管理サーバ５に送られる。この状況も監視カメラ３ｂで撮像され記録が、管理サーバ５に送られる。管理サーバ５は、これらの情報を記憶手段５３に記録する。
【００３３】
こうして、ＩＤ信号に基づく認証によりはじめて、セキュリティ・ボックス２の扉の開きが可能となり、また、これらのアクセスの状況は、撮像記録も含め、記録される。このため、盗難防止と共に、セキュリティ・ボックス２において生じるトラブルの原因と状況の把握が確実容易にでき、問題解決につながる。
【００３４】
上記の実施の形態では、配送書類用のボックス部２１と配送品用のボックス部２２とに分離設置したが、勿論、用途によって、一方のボックス部のみとして、操作パネル２５も簡素化できる。また、配送書類用のボックス部２１と配送品用のボックス部２２とに分離設置したにもかかわらず、ＩＤ信号リーダ２４は共通とし、両ボックス部２１，２２が同時に開く構成としているが、新たな指示ボタンを設けて、分離開錠も可能である。
【００３５】
また、上記の実施の形態では、配送書類用のボックス部２１が上側に、配送品用のボックス部２２が下側に、両者の中間に、ＩＤ信号リーダ２４を含む操作パネル２５が配設され、軽量な書類等用のボックス部２１が上に、中間に操作パネル２５、下に大きな重量のあるものを収納する配送品ボックス部２２と合理的な配置とされているが、小型のものでは、上から操作パネル、配送書類用のボックス部、配送品用のボックス部との配置とする。このほうが、操作パネルの扱い上合理的な場合があるからである。
【００３６】
また、上記の実施の形態では、ＩＤ信号リーダ２４が共通で、配送書類用のボックス部２１と配送品用のボックス部２２とにそれぞれ施錠ボタン２５ａ，２５ｂと開錠ボタン２５ｃ，２５ｄが、対応して設けられているが、これは、ＩＤ信号リーダ２４は共通のままで、それぞれのボックス部の扉を別々に分離して開閉、また、施錠と開錠することができる。しかし、操作パネルの面積がどうしても大きくなるので、それぞれ施錠ボタン２５ａ，２５ｂと開錠ボタン２５ｃ，２５ｄが、施錠・開錠ボタンとされた１つボタンの繰返し切替ボタンとすれば、施錠・開錠ボタンは、１つにまとめることができ、省スペース化を図ることができる。
【００３７】
また、上記の実施の形態では、カメラ３，３ｂの下部に配設した人感センサ４，４ｂにより撮影の開始と終了とが制御されているが、ボックス部に備えた扉の開閉センサ２５ｉから、カメラ３，３ｂに連動指令信号を送信可能にしても、カメラにより投函者又は受取者の行動の記録を可能とでき、安全性を高めることができる。
【００３８】
また、認証確認手段２６からの認証確認信号が、カメラ３，３ｂに対する連動指令信号を与えるものとしても、カメラにより投函者又は受取者の行動の記録を可能とでき、安全性を高めることができる。
【００３９】
上記の実施の形態では、配送物保管ボックス装置１が、マンションなどの壁６０に埋め込まれ設置されることを想定したため、外側面と裏側面の両面に、扉２１ｂ，２１ｄ，２２ｂ，２２ｄを設け、しかも、両面にＩＤ信号リーダ２４，２４ｂを設けて、両面の扉すべてが、開き操作には認証が必要としている。しかし、裏側面が室内であるとすれば、裏側面の扉に関しては、開くのに認証を不要とできる。すなわち、室内部側などの安全側には、認証なしに自由に開閉可能な扉を設けて使いやすいものとできる。また、裏側面に扉のないタイプの配送物保管ボックス装置も、設置場所によっては、望ましい。さらに、オフィス内で使用するものは、配送物が書類の場合のみ対応したボックス部が一つで小型のものが望ましい。このように、本願の発明は、集合住宅の宅配荷物を受け取るためのボックスだけでなく、オフィスなどで、例えば、机に備え付けられたセキュリティ・ボックス、担当部署ごとに配置されたセキュリティ・ボックスにも適用できるものである。
【００４０】
さらに、上記の実施の形態では、管理サーバ５の認証回路手段５２によって、認証を行い、その結果信号を配送物保管ボックス装置１の認証確認手段２６が受けて認証が完了することとされているが、配送物保管ボックス装置１内に、認証確認手段２６、認証回路手段５２、必要なデータベース５４、記憶手段５３を含め認証手段のすべてを備えることも可能である。この場合、連絡先へのメール送信を配送物保管ボックス装置１が行うように装備することもできるが、メール送信は管理サーバ５に分担させることもできる。
【産業上の利用可能性】
【００４１】
以上のように、本発明による配送物保管ボックス装置は、郵便物、宅配便等の安全性の高い、取扱いの簡単な保管ボックス装置として有用で、広く、産業上の利用が見込まれる。
【図面の簡単な説明】
【００４２】
【図１】本発明による一実施の形態としての配送物保管ボックス装置の正面図である。
【図２】図１の配送物保管ボックス装置の側面図である。
【図３】図１の配送物保管ボックス装置及び関連装置の回路構成図である。
【符号の説明】
【００４３】
１  配送物保管ボックス装置、２  セキュリティ・ボックス、３，３ｂ  カメラ、４，４ｂ  人感センサ、５  管理サーバ、６  インターネット網、７  携帯電話、８  ＰＣ、２１  配送書類ボックス部、２２  配送品ボックス部、２１ｂ，２１ｄ，２２ｂ，２２ｄ  扉、２１ａ，２１ｃ，２２ａ，２２ｃ  つまみ、２３  セキュリティ・ボックス回路部、２４  ＩＤ信号リーダ、２５  操作パネル、２５ｃ  開錠ボタン、２５ａ，２５ｂ，２５ａｂ，２５ｂｂ  施錠ボタン、２５ｄ  開錠ボタン、２５ｅ  表示部、２５ｅｃ  表示用手段、２５ｆ  投入口施錠・開錠手段、２５ｇ  取出し口施錠・開錠手段、２５ｈ  ボックス内センサ、２５ｉ  開閉センサ、２６  認証確認手段、２７  通信手段、２８  ボックス情報収集手段、２９  制御手段、３１  撮影開始手段、３２  撮影終了手段、３４  制御手段、３５  通信手段、５１  通信手段、５２  認証回路手段、５３  記憶手段、５４  データベース、５４ａ  住民情報テーブル、５４ｂ  連絡先情報テーブル、５４ｃ  セキュリティ・ボックス情報テーブル、５４ｄ  認証情報テーブル、６０  壁。
【図１】
2008037644.tif 000003
【図２】
2008037644.tif 000004
【図３】
2008037644.tif 000005